(57)【要約】【課題】従来のディスク記録及び／又は再生装置は、ディスクカバーを上下駆動するために、チャッキングプーリーの磁力やソレノイドの磁力を用いていため、チャッキングプーリーやソレノイドによる部品点数が増加すると共に、装置全体が上下方向に大きく（厚く）なっていた。【解決手段】ディスク状記録媒体Ｄが出し入れ可能に収納されるディスク収納部１１を有するディスクトレイ１２と、ディスクトレイ１２を移動可能に支持するトレイ収納筐体１３と、トレイ収納部６０に姿勢変更可能に取り付けられると共に、ディスク収納部１１の全体を覆うディスクカバー１４と、を備え、ディスクカバー１４には、ディスクトレイ１２側に突出する昇降部６２を設けると共に、ディスクトレイ１２には、昇降部６４が出し入れ可能な凹部１７を設け、昇降部６４が凹部１７に挿入されてディスクカバー１４でディスク収納部１１を閉じるようにした。【選択図】図４
2008299943.tif 000002
【特許請求の範囲】
【請求項１】
ディスク状記録媒体が出し入れ可能に収納される凹部からなるディスク収納部を有するディスクトレイと、
前記ディスクトレイを、当該ディスクトレイの面方向へ移動可能に支持するトレイ収納筐体と、
前記トレイ収納筐体のトレイ収納部に姿勢変更可能に取り付けられると共に、当該トレイ収納部に収納された前記ディスクトレイの前記ディスク収納部の全体を覆うディスクカバーと、
を備え、
前記ディスクカバーには、当該ディスクカバーの前記ディスクトレイ側に突出する昇降部を設けると共に、前記ディスクトレイには、前記昇降部が出し入れ可能な凹部を設け、
前記ディスクトレイが前記トレイ収納部に収納されたときに前記昇降部が前記凹部に挿入されて前記ディスクカバーで前記ディスク収納部を閉じるようにした
ことを特徴とするディスク記録及び／又は再生装置。
【請求項２】
前記昇降部は、前記ディスクカバーにおける前記トレイ収納部の開口側のトレイ移動方向と交差する方向の両側のうち少なくとも一方に設けた
ことを特徴とする請求項１に記載のディスク記録及び／又は再生装置。
【請求項３】
前記ディスクカバーは、前記トレイ収納部のトレイ移動方向の中央より奥側において回動可能に取り付けられた
ことを特徴とする請求項１に記載のディスク記録及び／又は再生装置。
【請求項４】
前記ディスクカバーの中央部に、前記ディスク収納部に対応した大きさを有する膨出部を設け、当該膨出部の外周縁に周方向に連続する環状接触部を設けた
ことを特徴とする請求項１に記載のディスク記録及び／又は再生装置。
【請求項５】
前記昇降部は、弾性を有する材料で前記ディスクカバーと一体に設けた
ことを特徴とする請求項１に記載のディスク記録及び／又は再生装置。
【請求項６】
前記ディスクカバーは、厚さ０．５ｍｍ以下の板金によって形成した
ことを特徴とする請求項５に記載のディスク記録及び／又は再生装置。
【請求項７】
前記トレイ収納筐体又は前記ディスクカバーに、当該ディスクカバーを前記ディスクトレイの主面に付勢する弾性部材を設けた
ことを特徴とする請求項１に記載のディスク記録及び／又は再生装置。
【請求項８】
前記弾性部材は、前記トレイ収納筐体又は前記ディスクカバーに固定された板ばねからなり、当該板ばねで当該ディスクカバーを押圧するようにした
ことを特徴とする請求項７に記載のディスク記録及び／又は再生装置。
【発明の詳細な説明】
【技術分野】
【０００１】
本発明は、ディスク状記録媒体が収納される凹部からなるディスク収納部を有するディスクトレイの前記ディスク収納部をディスクカバーで覆うようにしたディスク記録及び／又は再生装置に関する。
【背景技術】
【０００２】
従来の、この種のディスク記録及び／又は再生装置としては、例えば、特許文献１に記載されているようなものがある。特許文献１には、光ディスク記録媒体や光ピックアップへの塵埃の付着を可及的に抑制した、光ディスクドライブ装置に関するものが記載されている。この特許文献１に記載された光ディスクドライブ装置は、「光ディスク記録媒体を上面に着脱交換自在に載置しつつ、筐体の前面開口部を介して当該筐体前面と当該筐体内部とを水平方向へ引き出し収納自在に摺動するディスクトレイを具備したトレイローディング方式の光ディスクドライブ装置において、前記ディスクトレイが前記筐体内部へ収納された状態にある場合には、前記光ディスク記録媒体を上面から側面に亙って前記ディスクトレイとの間に蓋状に覆うカバーと、当該カバーを上方から前記ディスクトレイへ抑圧付勢する駆動機構とを具備した」ことを特徴としている。
【０００３】
このような構成を有する光ディスクドライブ装置によれば、「ローディングトレイ方式を採用しながら、光ディスク記録媒体や光ピックアップへの塵埃の付着を大幅に減少可能な利点がある」等の効果が期待される。
【特許文献１】特開平９−１７０８２号公報
【０００４】
しかしながら、特許文献１に記載された光ディスクドライブ装置では、ディスクを枢支するチャッキングプーリーをカバーの上方に設け、このチャッキングプーリーの磁力とソレノイドの磁力によりカバーを上下駆動させている。そのため、チャッキングプーリーとソレノイドにより部品点数が増加すると共に、ディスクドライブ装置自体が上下方向に大きく（厚く）なる、という問題があった。
【０００５】
また、カバーでディスクを覆った際には、回転駆動するチャッキングプーリーとカバーとの干渉を避けるために、チャッキングプーリーとカバーとの間に隙間が必要になり、光ディスクを完全に密閉することができなかった。そのため、ディスクが回転駆動する際に発生する空気の流れが、チャッキングプーリーとカバーとの隙間を通って移動してしまい、空気の流れによる騒音レベルが高くなってしまう、という問題もあった。
【発明の開示】
【発明が解決しようとする課題】
【０００６】
解決しようとする問題点は、従来のディスク記録及び／又は再生装置では、ディスクを枢支するチャッキングプーリーをカバーの上方に設け、このチャッキングプーリーの磁力とソレノイドの磁力によりカバーを上下駆動させているため、チャッキングプーリーとソレノイドにより部品点数が増加すると共に、装置全体が上下方向に大きく（厚く）なる、という点である。
【０００７】
また、ディスクカバーでディスクを覆った際には、回転駆動するチャッキングプーリーとディスクカバーとの干渉を避けるために、チャッキングプーリーとディスクカバーとの間に隙間が必要であった。そのため、ディスクが回転駆動する際に発生する空気の流れがチャッキングプーリーとディスクカバーとの隙間を通って移動してしまい、空気の流れによる騒音レベルが高くなってしまう、という点である。
【課題を解決するための手段】
【０００８】
本発明のディスクド記録及び／又は再生装置は、ディスク状記録媒体が出し入れ可能に収納される凹部からなるディスク収納部を有するディスクトレイと、このディスクトレイを、ディスクトレイの面方向へ移動可能に支持するトレイ収納筐体と、このトレイ収納筐体のトレイ収納部に姿勢変更可能に取り付けられると共に、トレイ収納部に収納されたディスクトレイのディスク収納部の全体を覆うディスクカバーと、を備えている。そして、ディスクカバーには、当該ディスクカバーのディスクトレイ側に突出する昇降部を設けると共に、ディスクトレイには、昇降部が出し入れ可能な凹部を設け、ディスクトレイがトレイ収納部に収納されたときに昇降部が凹部に挿入されてディスクカバーでディスク収納部を閉じるようにしたことを最も主要な特徴とする。
【発明の効果】
【０００９】
本発明のディスク記録及び／又は再生装置によれば、ディスクカバーに設けた昇降部とディスクトレイに設けた凹部により、ディスクカバーの姿勢変更を行う構成とした。そのため、チャッキングプーリーやソレノイドを用いることなくディスクカバーの姿勢変更を行うことができ、部品点数の削減ができると共に装置全体の薄型化及び小型化を図ることができる。また、ディスクトレイがトレイ収納部に収納されたときにディスクカバーでディスクトレイのディスク収納部の全面を覆う構成とした。そのため、ディスク状記録媒体が回転駆動する際に発生する空気の流れがディスクカバーの外部に漏れることを防止若しくは抑制して、隙間を通る空気の流れによる騒音レベルの上昇を防ぎ、ディスク状記録媒体の回転により発生する騒音レベルの低減を図ることができる。
【発明を実施するための最良の形態】
【００１０】
ディスクカバーでディスクトレイのディスク収納部の全体を覆い、このディスクカバーを持ち上げる昇降部とこの昇降部が出し入れ可能な凹部を設ける。これにより、部品点数を削減できると共に装置全体の薄型化・小型化を図ることができるだけでなく、ディスク状記録媒体の回転により発生する騒音レベルの低減を図ることができるディスク記録及び／又は再生装置を、簡単な構成によって実現した。
【００１１】
図１〜図１６は、本発明の実施の形態の例を示すものである。即ち、図１〜図１６は本発明のディスク記録及び／又は再生装置の第１の実施の例を示すもので、図１はノート型パーソナルコンピュータ（ノート型パソコン）の斜視図、図２はディスクドライブ装置の外観斜視図、図３はトップカバーを分解した外観斜視図、図４はディスクドライブ装置の分解斜視図、図５は図４から更に可動レール及び固定レールを分解した斜視図、図６はディスクドライブ装置に係るドライブユニットの斜視図、図７はドライブユニットの平面図である。
【００１２】
図８はディスクトレイ及びディスクカバーの要部を示す説明図、図９はディスクドライブ装置の断面図、図１０Ａ，図１０Ｂは図９の要部を拡大した説明図、図１１はディスクカバーとディスクトレイの接触部の説明図、図１２はディスクカバーに取り付けられた弾性部材の第１の実施の例を示す説明図、図１３は弾性部材の第２の実施の例を示す説明図、図１４はディスクトレイをトレイ収納筐体に収納する前の状態の説明図、図１５Ａ，図１５Ｂはディスクトレイをトレイ収納筐体に収納している状態の説明図、図１６はディスクトレイとディスクカバーの間に生じた隙間の説明図である。
【００１３】
まず、図１を参照して、本発明のディスク記録及び／又は再生装置の第１の実施の例として示すノート型パーソナルコンピュータ（以下、「ノート型パソコン」という。）について説明する。このノート型パソコン１は、偏平な直方体をなす筐体２と、同じく偏平な直方体をなす蓋体３等を備えて構成されている。筐体２及び蓋体３は、それぞれに所定の大きさを有する空間部が設けられていると共に、互いに重なり合って積層可能に構成されている。即ち、筐体２の上に蓋体３が積層され、その筐体２と蓋体３がヒンジ機構４によって回動可能に連結されている。
【００１４】
ヒンジ機構４は、筐体２の上面後方両側部において左右方向へ延在するように設けた一対の筐体側ヒンジ部４ａ，４ａと、蓋体３の後方中央部において左右方向へ延在すると共に一対の筐体側ヒンジ部４ａ，４ａ間に挟まれるように設けた蓋体側ヒンジ部４ｂと、同一軸心線上に対向された一対の筐体側ヒンジ部４ａ，４ａと蓋体側ヒンジ部４ｂを貫通するヒンジ軸４ｃとの組み合わせからなっている。このヒンジ機構４によって筐体２と蓋体３が回動可能に連結され、筐体２に対して蓋体３が上下方向へ回動可能とされたノート型パソコン１が構成されている。なお、蓋体３は筐体２に対して、任意の角度位置でその傾斜した姿勢を保持できるように構成されている。
【００１５】
図１に示すように、蓋体３の内面である筐体２の上面と対向する面には、周囲にわずかな縁取りを残して開口部５が設けられている。蓋体３の開口部５には、その内部に収納された表示装置である液晶ディスプレイや有機ＥＬディスプレイ、表面電界ディスプレイ等の平面表示パネル６が臨まれている。平面表示パネル６の内側には、図示しないが、平面表示パネル６の背面側に光を当てるバックライトや、平面表示パネル６の画面を制御する制御装置が搭載された配線基板等が必要に応じて収納されている。そして、各種の情報や画像等が平面表示パネル６に表示可能に構成されている。
【００１６】
また、筐体２の上面である蓋体３の開口部５と対向する面には、多数のキーを有するキー式入力部７と、タッチパネル式入力手段等を備えた入力操作を行うためのタッチ式入力部８が設けられている。これらの入力部７，８から制御信号が入力され、所定の情報処理等が行われる。この筐体２の内部には、次に述べるディスクドライブ装置１０と、このディスクドライブ装置１０やその他の装置、機器等を制御する制御装置が搭載された図示しない配線基板と、ディスクドライブ装置１０や制御装置等に電力を供給する図示しないバッテリー電源等が収納されている。
【００１７】
ノート型パソコン１は、筐体２の側面に設けたドライブ収納部９に収納されるディスクドライブ装置１０を備えている。ディスクドライブ装置１０は、ディスク状記録媒体を回転駆動すると共にその情報記録部に対して情報信号の記録（書込み）や再生（読出し）を行うものである。このディスクドライブ装置１０は、図２〜図５に示すような構成を備えている。即ち、ディスクドライブ装置１０は、図４に示すように、ディスク状記録媒体の一具体例を示す光ディスクＤが出し入れ可能に収納されるディスク収納部１１を有するディスクトレイ１２と、このディスクトレイ１２を移動可能に支持するトレイ収納筐体１３と、このトレイ収納筐体１３に回動可能に取り付けられるディスクカバー１４等を備えて構成されている。
【００１８】
ドライブ収納部９は、筐体２の一方の側面に開口された開口部を有しており、その開口部を塞ぐようにディスクドライブ装置１０がドライブ収納部９に装着されて筐体２に取り付けられている。このディスクドライブ装置１０に使用されるディスク状記録媒体としては、この実施の例で説明する光ディスクＤは勿論のこと、これ以外にも、光磁気ディスク、磁気ディスク等のように各種の記録用ディスクを適用することができる。
【００１９】
更に、光ディスクにおいても、再生専用のＣＤ、ＣＤ−ＲＯＭ、ＤＶＤ−ＲＯＭ等の光ディスクは勿論のこと、１回の記録或いは何度でも記録が可能なＣＤ−ＲＷ、ＤＶＤ−Ｒ、ＤＶＤ−ＲＷ等の光ディスクのように各種の光ディスクを適用することができる。これらに対応して、ディスク記録及び／又は再生装置としては、例えば、光ディスク式記録装置、光ディスク式再生装置、光ディスク式記録再生装置、光ディスク式撮像装置、光磁気ディスク式記録装置、光磁気ディスク式再生装置、光磁気ディスク式撮像装置、磁気ディスク式記録装置、磁気ディスク式再生装置、磁気ディスク式記録再生装置等を挙げることができる。
【００２０】
また、このディスクドライブ装置１０に使用される光ディスク等の大きさは、この実施の例では、直径が１２ｃｍのディスク状記録媒体を用いた例について説明しているが、この大きさに限定されるものではなく、直径が８ｃｍのディスク状記録媒体は勿論のこと、その他の大きさのディスク状記録媒体を対象とすることができることは勿論である。更に、ディスク状記録媒体として、直径が異なる複数種類のディスク、例えば、直径が１２ｃｍの光ディスクと、直径が８ｃｍの光ディスクとのいずれにも対応できるように構成することもできる。
【００２１】
ディスクドライブ装置１０のディスクトレイ１２は、ドライブユニット２０を所定の範囲内で移動させることができる空間部を有する偏平な板状の部材からなる。ディスクトレイ１２の主面をなす上面には、光ディスクＤを水平状態で載置して収納するディスク収納部１１が設けられている。ディスク収納部１１は、円形の凹部からなり、その外周縁の略全体が側面壁１６によって囲われている。ディスクトレイ１２のトレイ移動方向である第１の方向Ｘの他側である後側の一方の角部から側面部に至る部分は、側面壁１６が露出されるように円弧状に切り欠かれている。これにより、ディスクトレイ１２のディスク収納部１１の外側の３箇所に、先端部が９０°に尖った角部か形成されている。そして、ディスクトレイ１２のトレイ移動方向Ｘの一側である基端部に、前面板１８が一体的に設けられている。
【００２２】
ディスクトレイ１２の前面である第１の方向Ｘの一側には、前面板１８が一体的に設けられている。前面板１８は、ドライブ収納部９の開口部を閉じるもので、その開口部に見合った大きさ及び形状を有している。即ち、前面板１８は、ドライブ収納部９の開口部を閉じることができる長尺状の板状部材からなり、その平面方向をディスクトレイ１２の主面と直交する方向に向けてディスクトレイ１２の前面に固定されている。この前面板１８には、ディスクトレイ１２をトレイ収納筐体１３から自動的に排出させるイジェクト釦１９が設けられている。
【００２３】
イジェクト釦１９は、図示しないトレイ排出機構の操作（動作開始）手段である。トレイ排出機構は、例えば、電磁石を有する電磁ソレノイドを用いて構成することができる。この電磁ソレノイドは、例えば、ディスクトレイ１２に固定される可動鉄心と、トレイ収納筐体１３に固定される固定鉄心と、その固定鉄心に装着されるコイルと、可動鉄心の戻しばね等によって構成される。そして、コイルに流れる電流の磁気作用により可動鉄心を固定鉄心に吸着してディスクトレイ１２をトレイ収納筐体１３に収納した第１の位置に保持し、その電流を切ることにより戻りばねのばね力で可動鉄心を固定鉄心から離反させてディスクトレイ１２をトレイ収納筐体１３から飛び出した第２の位置に移動させる。この電流を切るためのスイッチ手段としてイジェクト釦１９を用いることができる。
【００２４】
更に、トレイ搬送機構としては、この実施の例に限定されるものではなく、他の移動機構を用いることができることは勿論である。例えば、コイルバネとそのロック部材とによって構成することもできる。具体的には、ディスクトレイ１２とトレイシャーシ５１との間にコイルバネを配置し、このコイルバネをロック部材で係止する。即ち、コイルバネを圧縮した状態でディスクトレイ１２をトレイ収納筐体５１内に収納し、そのコイルバネの圧縮状態をロック部材で確保する。そして、イジェクト釦２５を操作して、このロック部材によるコイルバネのロックを解除することにより、コイルバネのばね力によってディスクトレイ１２が移動し、その開口部からディスクトレイ１２が所定量だけ突出される。
【００２５】
また、ディスクトレイ１２のディスク収納部１１には、ドライブユニット２０が嵌合される開口穴２１が設けられている。開口穴２１は、ドライブユニット２０の平面形状に対応してそれより少し大きな略相似形をなす開口部として形成されており、図示しないベース部材に固定されたドライブユニット２０が嵌合されている。ベース部材は、ディスクトレイ１２の下面にねじ止めされており、このベース部材に載置されたドライブユニット２０の上面は、ディスク収納部１１の載置面と略同一の高さに設定されている。
【００２６】
ディスクトレイ１２のディスク移動方向Ｘの一側である前側の両角部には一対の凹部１７，１７が設けられている。一対の凹部１７，１７は、第１の方向Ｘと交差する第２の方向Ｙの両側に配置されている。２つの凹部１７，１７は、ディスクカバー１４の姿勢（傾斜）を制御するために設けたもので、第１の方向Ｘの断面形状が略Ｖ字状をなして凹んでおり、前下がりの傾斜面を有している。
【００２７】
更に、ディスクトレイ１２の一方の前側角部には、ディスク収納部１１に連通された指掛け用の指掛け凹部２２が設けられている。この指掛け凹部２２は、ドライブユニット２０に装着されている光ディスクＤの外周縁に指の先端を引っ掛け、その光ディスクＤを引っ掛け挙げるためのものである。この指掛け凹部２２の部分だけ、ディスク収納部１１の側面壁１６が切り欠かれた状態になっている。
【００２８】
ディスクトレイ１２及び前面板１８の材質としては、例えば、ＡＢＳ（アクリロニトリル・ブタジエン・スチレン樹脂）等のエンジニアプラスチックが好適であるが、アルミニウム合金等の金属を用いることもできる。
【００２９】
ディスクトレイ１２に装着されたドライブユニット２０は、図６及び図７に示すような構成を有している。即ち、ドライブユニット２０は、図示しないマウントインシュレータを介してベース部材に弾性的に支持されるベース枠材２４と、このベース枠材２４に取り付けられたディスク回転駆動機構２５と、光ピックアップ２６と、ピックアップ移動機構２７等を備えて構成されている。
【００３０】
ドライブユニット２０のディスク回転駆動機構２５は、ディスク装着部となるターンテーブル２８を有しており、このターンテーブル２８に光ディスクＤが装着される。このディスク回転駆動機構２５のターンテーブル２８を回転駆動することにより、光ディスクが所定速度（例えば、線速度一定）で回転される。光ピックアップ２６は、ターンテーブル２８に装着されて回転駆動される光ディスクに対して、その情報記録面に光ビームを照射して新たに情報を書き込み、或いは、照射した光ビームの反射光を読み込むことにより、予め情報記録面に記録されている情報を読み出す。
【００３１】
ピックアップ移動機構２７は、ターンテーブル２８に装着されて回転駆動される光ディスクＤの情報記録面に沿って、光ピックアップ２６を半径方向外側へ移動させる。この半径方向外側への移動時に、光ピックアップ２６による情報信号の記録及び／又は再生動作が実行される。ベース枠材２４は、これらディスク回転駆動機構２５と光ピックアップ２６とピックアップ移動機構２７が搭載されるものである。このベース枠材２４及びベース部材を介してディスク回転駆動機構２５等がディスクトレイ１２に取り付けられている。
【００３２】
ベース枠材２４は、板金を所定の形状に打ち抜き、その周囲を僅かに下方へ折り曲げることによって形成されている。図７に示すように、ベース枠材２４の平面形状は、長方形の４つの角部に大きな面取り部を設けると共に、内側に大きな開口部３１を設け、全体として横長の略八角形をなす枠体として形成されている。開口部３１は、光ピックアップ２６の上部を露出させるピックアップ用開口部３１ａと、ディスク回転駆動機構２５のターンテーブル２８を上方へ臨ませるテーブル用開口部３１ｂを有している。ピックアップ用開口部３１ａは、光ピックアップ２６の上部全体を露出させるように大きく略矩形に形成されており、その長手方向の一側に略半円形をなすテーブル用開口部３１ｂが配置されている。
【００３３】
開口部３１のテーブル用開口部３１ｂには、テーブル回転駆動機構１５が配置されている。テーブル回転駆動機構１５は、図７に示すように、光ディスクが着脱可能に装着されるターンテーブル２８を有するスピンドルモータ２９と、このスピンドルモータ２９を固定してベース枠材２４に支持する支持プレート３２を有している。ターンテーブル２８は、スピンドルモータ２９の回転部に装着されて一体的に設けられており、支持プレート３２に固定された固定部によって回転自在に支持されている。このターンテーブル２８の載置部２８ｂが、ベース枠材２４のテーブル用開口部３１ｂから僅かに上方へ突出するように、スピンドルモータ２９を支持する支持プレート３２がベース枠材２４の下面にねじ止めされて取り付けられている。
【００３４】
ターンテーブル２８は、光ディスクの中心穴に嵌合される円柱状の凸部からなる嵌合部２８ａと、光ディスクの中心穴の周縁部が載置される載置部２８ｂを有している。嵌合部２８ａと載置部２８ｂは一体に形成されており、載置部２８ｂには、光ディスクとの接触を和らげるリング状のクッション材３３が取り付けられている。嵌合部２８ａには、光ディスクの中心穴に係合される複数（本実施例では３個）の係止爪３４が周方向へ等間隔に配置されている。各係止爪３４は、図示しないコイルばね等の弾性部材により付勢され、各先端部が嵌合部２８ａの外周面から半径方向外側へ突出されている。これらの係止爪３４がチャッキング機構をなしており、すべての係止爪３４を中心穴に係合することにより、光ディスクがターンテーブル２８に保持される。
【００３５】
このディスク回転駆動機構２５に対して、光ピックアップ２６が所定の範囲内で接近及び離反可能に構成されている。光ピックアップ２６は、光ビームを出射する光源となる半導体レーザと、戻りの光ビームを受光する受光素子等からなる光検出器を有している。この光ピックアップ２６は、半導体レーザから光ビームを出射し、その光ビームを対物レンズ３６により集光して光ディスクの情報記録面に照射すると共に、その情報記録面で反射された戻りの光ビームを光検出器で受光する。これにより、光ディスクの情報記録面に対する情報信号の書き込み又は読み出しを行うことができる。
【００３６】
また、光ピックアップ２６は、対物レンズ３６を光軸方向（以下「フォーカシング方向」という。）と、光ディスクの記録トラックと直交する方向（以下「トラッキング方向」という。）に変位駆動する２軸アクチュエータ等の対物レンズ駆動機構を有している。この対物レンズ駆動機構が、光検出器により検出された光ディスクからの検出信号に基づいて対物レンズ３６をフォーカシング方向及びトラッキング方向に変位させながら、情報記録面上に対物レンズ３６の焦点を合わせる。これにより、対物レンズ３６の焦点を情報記録面上に合わせるフォーカスサーボや、対物レンズ３６により集光される光ビームのスポットを記録トラックに追従させるトラッキングサーボ等の駆動制御が実行される。この光ピックアップ２６が、ピックアップ移動機構２７を介してベース枠材２４に搭載され、ターンテーブル２８に対して所定の範囲内で接近及び離反可能とされている。
【００３７】
ピックアップ移動機構２７は、ピックアップベース３７と一対のガイド軸３８，３９と送りねじ軸４１と駆動モータ４２を有している。ピックアップベース３７は、２軸アクチュエータや光検出器等が収納される偏平なブロック状の部材からなり、一対のガイド軸３８，３９によって移動可能に支持されている。一対のガイド軸３８，３９は、ベース枠材２４の下面においてターンテーブル２８の一側に、互いに所定の間隔をあけて略平行となるように配置されている。そして、一対のガイド軸３８，３９は、ベース枠材２４の４箇所において、それぞれ軸受部によって両端支持されている。各軸受部は、ベース枠材２４に設けた軸受片と別部材の押え板からなり、押え板をねじ止めして軸受片との間で挟持することにより、一対のガイド軸３８，３９がベース枠材２４に締付固定されている。
【００３８】
ピックアップベース３７は、一対のガイド軸３８，３９の軸方向と直交する両外側に突出する第１の軸受部４３と第２の軸受部４４を有している。第１の軸受部４３は、第１のガイド軸３８が摺動可能に挿通される軸受穴を有する前側軸受部５８ａと後側軸受部５８ｂからなっている。前後の軸受部４３ａ，４３ｂは、第１のガイド軸３８の軸方向へ所定の間隔をあけて同一平面上に配置されている。この前後の軸受部４３ａ，４３ｂの間に、送りねじ軸４１のねじ溝に係合する係合部を有するラック部材４５が配置されている。このラック部材４５は、固定ねじ４６によってピックアップベース３７にねじ止めされている。
【００３９】
第２の軸受部４４には、側方に開口するガイド溝が設けられている。このガイド溝に、第２のガイド軸５５が摺動可能に挿通されている。この第２の軸受部４４を貫通する第２のガイド軸５５と、第１の軸受部４３の前後の軸受部４３ａ，４３ｂを貫通する第１のガイド軸３８によって、ピックアップベース３７がスライド可能に支持されている。送りねじ軸４１は、第１のガイド軸３８との間に所定の間隔をあけて略平行に配置されている。送りねじ軸４１は、駆動モータ４２の回転軸となっており、その駆動モータ４２が図示しない取付ブラケットにより、ベース枠材２４に固定されている。また、取付ブラケットには、送りねじ軸４１の先端側が回動自在に支持されている。この取付ブラケットがベース枠材２４にねじ止めされており、これにより、送りねじ軸４１と駆動モータ４２がベース枠材２４に取り付けられている。
【００４０】
ピックアップベース３７には、図示しないフレキシブル配線板の一端が連結されている。このフレキシブル配線板は、ベース枠材２４に保持されている光ピックアップ２６をディスクドライブ装置１０の外部にある図示しない電源側コネクタと電気的に接続するもので、可撓性を有する柔軟性に富んだ配線部材である。フレキシブル配線板は、ピックアップベース３７に取り付けられる第１の接続部と、電源側コネクタに接続される第２の接続部を有している。フレキシブル配線板には多数の配線回路を有する配線回路群が形成されており、各配線回路が第１の接続部から第２の接続部までそれぞれ連続されている。
【００４１】
図６に示すように、ベース枠材２４の上面にはベースカバー４７が取り付けられている。このベースカバー４７は、ベース枠材２４の平面形状に略対応する形状とされている。このベースカバー４７には、ターンテーブル２８と光ピックアップ２６の対物レンズ３６を露出させるための開口部４８が設けられている。開口部４８は、光ピックアップ２６の移動方向に延在されており、光ピックアップ２６がターンテーブル２８から最も離れた位置からターンテーブル２８が露出されたテーブル用開口部３１ｂまで連続する長穴として形成されている。このベースカバー４７が、複数個（本実施例では６個）の固定ねじ４９によってベース枠材２４の上面に締付固定されている。
【００４２】
このような構成を有するドライブユニット２０が、それぞれダンパを介して３箇所でベース部材に固定されている。このため、ベース枠材２４には３つの脚体片２４ａが設けられており、各脚体片２４ａのネック部にダンパが装着されている。このようにダンパを介してドライブユニット２０をベース部材に固定することにより、振動や衝撃等の外乱が光ピックアップ２６等に伝わり難い構造とすることができる。
【００４３】
ディスクトレイ１２が出し入れされるトレイ収納筐体１３は、正面が開口された中空の扁平な筐体をなしている。このトレイ収納筐体１３は、図５に示すように、上面と前面に開放されたトレイシャーシ５１と、下面と前面に開放されたトップカバー５２とからなっている。トレイシャーシ５１の上にトップカバー５２が重ね合わされており、これにより、前面のみに開口されたトレイ収納部６０が形成されている。この重ね合わせ状態で複数個の固定ねじ５３により、図２に示すようにトップカバー５２がトレイシャーシ５１に締結固定されてトレイ収納筐体１３が構成されている。このトレイ収納筐体１３の前面に開口されたトレイ収納部６０の開口部からディスクトレイ１２が出し入れされる。
【００４４】
図５に示すように、トレイシャーシ５１の下面部５１ａの、第２の方向Ｙの一側には、適当な高さの段部５１ｂを設け、その段部５１ｂの上端に連続して外側に突出する庇部５１ｃが設けられている。この庇部５１ｃは、ディスクトレイ１２のディスク収納部１１を完全な円形に形成したことにより円弧状に張り出した張出し部（図５においてクロスハッチングで示した部分）１２ａを収容するために設けたものである。
【００４５】
また、トレイシャーシ５１の下面部５１ａには、所定の回路基板上に必要なマイクロコンピュータ（ＭＰＵ）や半導体集積回路（ＩＣ）、コンデンサその他の電子部品等が実装された制御基板５４が搭載されている。この制御基板５４には、図示しないフレキシブル配線板の一側が電気的に接続されており、その他側がドライブユニット２０のコネクタと機械的及び電気的に接続されている。更に、制御基板５４には、外部の電子機器と電気的に接続するためのコネクタ５５が実装されている。
【００４６】
このトレイシャーシ５１の下面部５１ａには、一対の固定レール５６Ｌ，５６Ｒが固定されている。第１の固定レール５６Ｌには、第１の可動レール５７Ｌがその長手方向に沿って移動可能に支持されている。そして、第２の固定レール５６Ｒには、第２の可動レール５７Ｒがその長手方向に沿って移動可能に支持されている。
【００４７】
図４及び図９に示すように、一対の固定レール５６Ｌ，５６Ｒは、トレイシャーシ５１の下面部５１ａの第２の方向Ｙの各角部において、その長手方向を第１の方向Ｘに向けた状態で配置されている。一対の固定レール５６Ｌ，５６Ｒのうち、第１の固定レール５６Ｌは、断面形状がコの字状をなしている。図１０Ｂ等に示すように、第１の固定レール５６Ｌの高さは、トレイシャーシ５１の段部５１ｂと略同じ高さに設定されている。そして、第１の固定レール５６Ｌは、その開口側を第２の固定レール５６Ｒに対向させるように内側に向けた状態で下面部５１ａに固定されている。
【００４８】
また、第２の固定レール５６Ｒは、断面形状がコの字状をなす部分と、その一端において内側に折曲形成された内フランジ部５６ａと、その他端において外側へ折曲形成された外フランジ部５６ｂを有している。図１０Ａ等に示すように、第２の固定レール５６Ｒの外フランジ部５６ｂの高さは、トレイシャーシ５１の側壁の高さよりも少し低く設定されており、その高さ内に入り込むように設定されている。そして、第２の固定レール５６Ｒは、そのコの字状をなす部分の開口側を第１の固定レール５６Ｌに対向させるように内側へ向けた状態で下面部５１ａに固定されている。
【００４９】
この第１の固定レール５６Ｌのコの字状をなす凹部内に、第１の可動レール５７Ｌが摺動可能に挿入されている。そして、第２の固定レール５６Ｒのコの字状をなす凹部内に、第２の可動レール５７Ｒが摺動可能に挿入されている。第１の可動レール５７Ｌ及び第２の可動レール５７Ｒは、共に断面形状がコの字状をなしており、その一端に内フランジ部５７ａを有している。この第１の可動レール５７Ｌのコの字状をなす凹部内に、ディスクトレイ１２の下面に設けた第１のレール結合部５８Ｌが摺動可能に係合されている。そして、第２の可動レール５７Ｒのコの字状をなす凹部内に、ディスクトレイ１２の下面に設けた第２のレール結合部５８Ｒが摺動可能に係合されている。
【００５０】
第１のレール結合部５８Ｌは、ディスクトレイ１２の下面における第２の方向Ｙの一側に配置されている。第２のレール結合部５８Ｒは、ディスクトレイ１２の下面における第２の方向Ｙの他側に配置されている。これらの第１のレール結合部５８Ｌと第２のレール結合部５８Ｒは、ディスクトレイ１２の下面において所定の間隔を開けて互いに略平行をなすように設けられている。そして、これら第１のレール結合部５８Ｌ及び第２のレール結合部５８Ｒが、第１の可動レール５７Ｌ及び第２の可動レール５７Ｒの各凹部内を、それぞれ長手方向に移動可能となっている。
【００５１】
２つの可動レール５７Ｌ，５７Ｒが２つの固定レール５６Ｌ，５６Ｒに完全に収納されてトレイ収納部６０に位置する状態が、ディスクトレイ１２がトレイ収納筐体１３のトレイ収納部６０に位置しているトレイ収納状態（第１の位置）である。この状態において、ドライブユニット２０に対する光ディスクＤのチャッキング及びその解除操作が可能である。そして、ドライブユニット２０による光ディスクＤに対する情報信号の記録及び再生が実行可能である。
【００５２】
一方、２つの可動レール５７Ｌ，５７Ｒが２つの固定レール５６Ｌ，５６Ｒから最も飛び出した状態が、ディスクトレイ１２がトレイ収納筐体１３から飛び出してディスク排出位置（第２の位置）に移動した状態である。このディスク排出位置において、ディスクトレイ１２のディスク収納部１１から光ディスクＤを取り出すことができ、また、そのディスク収納部１１に光ディスクＤを収納することが可能となる。
【００５３】
図３に示すように、このトレイシャーシ５１の上に重ね合わせるようにディスクカバー１４が姿勢変更可能に取り付けられている。ディスクカバー１４は、トレイシャーシ５１の上面の開口部を閉じるように配置されている。そして、ディスクカバー１４は、トレイシャーシ５１に設けた一対の枢軸６１，６１によって上下方向に回動可能に支持されている。一対の枢軸６１，６１は、トレイシャーシ５１の後部において側方へ突出するように設けられており、この一対の枢軸６１，６１を回動中心として、ディスクカバー１４がトレイシャーシ５１に対して所定の角度範囲内において上下方向へ揺動可能とされている。
【００５４】
ディスクカバー１４は、薄い平板状をなしており、適当な弾性を有している。このディスクカバー１４は、例えば板金をプレス加工することにより形成されている。図３に示すように、ディスクカバー１４は、ディスクトレイ１２の上面の全体を覆うことができる形状及び大きさを有している。ディスクカバー１４の板厚は、装置全体の薄型化・小型化を考えると、０．５ｍｍ以下が好ましく、ばね性や強度等を考慮すると０．２ｍｍ〜０．４ｍｍが最も好適である。また、ディスクカバー１４の材質としては、ばね性を有するステンレス鋼やばね鋼等が好適である。
【００５５】
なお、この実施の例では、ディスクカバー１４を、板金をプレス加工することにより形成した例を説明したが、これに限定されるものではない。例えば、エンジニアリングプラスチック等をモールド成形することにより形成してもよい。
【００５６】
ディスクカバー１４には、ディスクトレイ１２のディスク収納部１１及び指掛け凹部２２に対応した大きさを有する略円形の中央膨出部１４ａが設けられている。中央膨出部１４ａの略中央には、上方に膨出する小径の逃げ膨出部１４ｅが設けられている。この逃げ膨出部１４ｅは、ターンテーブル２８の嵌合部２８ａとの接触を回避するために設けたものである。この中央膨出部１４ａの内側に光ディスクＤが収納される。この中央膨出部１４ａの周縁に、周方向に連続する環状接触部６３が設けられている。環状接触部６３は、ディスクトレイ１２の上面に接触してディスク収納部１１をディスクカバー１４で塞ぎ、ディスク収納部１１に塵埃等が入り込むのを防止するものである。
【００５７】
更に、ディスクカバー１４の環状接触部６３の外側には、中央膨出部１４ａから３方に突出するように配置された３つの角部１４ｂ，１４ｃ，１４ｄが設けられている。３つの角部１４ｂ，１４ｃ，１４ｄは、ディスクカバー１４の第１の方向Ｘ前側の両側に配置された第１の前角部１４ｂ及び第２の前角部１４ｃと、第１の方向Ｘ後側の一側に配置された後角部１４ｄとからなっている。これにより、後角部１４ｄと第２の前角部１４ｃは、中央膨出部１４ａを挟んで対角線方向に配置されている。そして、第１の前角部１４ｂの対角線方向には、面取り状の切り欠きが対向されている。
【００５８】
また、ディスクカバー１４の３つの角部１４ｂ，１４ｃ，１４ｄには、板ばねをなす昇降弾性片６４Ａ，６４Ｂ，６４Ｃがそれぞれ設けられている。３つの昇降弾性片６４Ａ，６４Ｂ，６４Ｃは、各角部１４ｂ，１４ｃ，１４ｄにおいて、側縁から所定の幅を開けた位置で第１の方向Ｘに延在するスリットを設けて長尺状の片を形成し、この長尺片をへの字状に折り曲げて弾性を持たせることによって形成されている。３つの昇降弾性片６４Ａ，６４Ｂ，６４Ｃの折曲部の折曲側は、環状接触部６３の面よりもディスクトレイ１２側（中央膨出部１４ａの突出方向と反対側）に突出するように形成されている。この昇降弾性片６４Ａ，６４Ｂ，６４Ｃの弾性変形により、後述するように、環状接触部６３をディスクトレイ１２のディスク収納部１１の周縁に圧着させ、ディスクカバー１４でディスク収納部１１を覆って塵埃等が入り込むのを防止し若しくは抑制している。
【００５９】
また、第１の前角部１４ｂ及び第２の前角部１４ｃに設けられた本発明の昇降部の一具体例を示す２つの昇降弾性片６４Ａ，６４Ｂは、ディスクトレイ１２に設けた２つの凹部１７，１７に対して出し入れ可能に構成されている。なお、本実施の例では、昇降部を略Ｖ字型の昇降弾性片として構成した例を説明したが、これに限定されるものではない。例えば、昇降部を接触面１４ｂから一面側に半円状に突出した凸部とし、ディスクトレイ１２の凹部の形状をこの昇降部の形状に対応して半円状に形成してもよい。また、本実施の例では、昇降部をディスクカバー１４におけるトレイシャーシ５１の開口側の第２の方向Ｙの両側に設けた例を説明したが、これに限定されるものではなく、第２の方向Ｙの両側の一方にだけ昇降部を設けてもよい。
【００６０】
更に、ディスクカバー１４の３つの角部１４ｂ，１４ｃ，１４ｄには、弾性部材の一具体例を示す板ばね６５Ａ，６５Ｂ，６５Ｃが設けられている。板ばね６５Ａ，６５Ｂ，６５Ｃは、環状接触部６３をディスクカバー１４のディスク収納部１１の周縁に圧着させるために設けたもので、図４及び図１２等に示すような構成を有している。この板ばね６５Ａ，６５Ｂ，６５Ｃは、ディスクカバー１４に固定される帯状の固定片６６ａと、この固定片６６ａの幅方向の両側に連続するように形成された弾性を有する立上げ片６６ｂ，６６ｂとからなっている。そして、固定片６６ａをカシメ止めすることによってディスクカバー１４に一体的に固定されている。
【００６１】
即ち、板ばね６５Ａ，６５Ｂ，６５Ｃは、長手方向の中途部でへの字状に折り曲げられた固定片６６ａと、この固定片６６ａの折曲部の両側において幅方向両側に突出するように形成された弾性を有する４つの立上げ片６６ｂからなっている。４つの立上げ片６６ｂは、適度な角度をもって傾斜させて立ち上げられており、これによって各立上げ片６６ｂに弾性を付与している。固定片６６ａの複数個所（この実施の例では２箇所）にはカシメ穴６６ｃが設けられており、各カシメ穴６６ｃにはディスクカバー１４に設けたバーリング軸部６７がそれぞれ嵌合されている。このバーリング軸部６７の先端をカシメ止めすることにより、各板ばね６５Ａ，６５Ｂ，６５Ｃがディスクカバー１４の３つの角部１４ｂ，１４ｃ，１４ｄにそれぞれ固定されている。
【００６２】
更に、ディスクカバー１４の第２の方向Ｙの両側であって、第３の角部１４ｄと角の無い部分の近傍に、中央膨出部１４ａと反対側に突出した軸受片６８（右側のみを示す）がそれぞれ設けられている。各軸受片６８には軸受穴が設けられていて、それらの軸受穴にトレイシャーシ５１に設けた前記一対の枢軸６１がそれぞれ回動自在に嵌合されている。これにより、ディスクカバー１４は、トレイシャーシ５１に対して、一対の枢軸６１を回動中心として第１の方向Ｘへ揺動可能に支持されている。
【００６３】
このディスクカバー１４の上方を覆うトップカバー５１は、トレイシャーシ５１の平面形状と見合う形状及び大きさを有している。そして、図３及び図９に示すように、トレイシャーシ５１の上に重ね合わせ可能とされている。トップカバー５２は、トレイシャーシ５１の上面を覆う上面部５２ａと、トレイシャーシ５１の側面の一部を覆う左右の側面部５２ｂ，５２ｃと、トレイシャーシ５１の背面の一部を覆う背面部５２ｄとを有している。上面部５２ａには、トップカバー５２をトレイシャーシ５１にねじ止めするための挿入孔（この実施の例では４箇所）６９が設けられている。これらの挿入孔６９に対応してトレイシャーシ５１の対応する位置（４箇所）には、それぞれねじ孔が設けられている。これら挿入孔６９及びねじ孔に固定ねじ５３がそれぞれ螺合されていて、その締込みにより、図２に示すようにディスクドライブ装置１０が組み立てられている。
【００６４】
このような構成を有するディスクドライブ装置１０は、例えば、次のようにして簡単に組み立てることができる。まず、ディスクトレイ１２に、ドライブユニット２０と前面板１８とイジェクト機構と左右の可動レール５７Ｌ，５７Ｒを組み立てる。これとは別に、図５に示すように、トレイシャーシ５１に左右の固定レール５６Ｌ，５６Ｒを組み立てる。この際、トレイシャーシ５１には、予め制御基板５４を搭載しておくようにする。ここまでの組立状態が、図４に示すものである。
【００６５】
次に、一対の可動レール５７Ｌ，５７Ｒを一対の固定レール５６Ｌ，５６Ｒに組み立て、ディスクトレイ１２をトレイ収納筐体１３に移動可能に支持する。次いで、ディスクカバー１４をトレイシャーシ５１に組み立てる。最後に、図３に示すように、ディスクカバー１４の上からトップカバー５２を重ね合わせる。そして、複数個の固定ねじ５３でトップカバー５２をトレイシャーシ５１にねじ止めする。これにより、図２に示すように、装置全体の厚みを極めて薄くしたディスクドライブ装置１０の組立作業が完了する。
【００６６】
このように組み立てられるディスクドライブ装置１０が、図１に示すように、筐体２のドライブ収納部９に取り付けられる。これにより、ディスクドライブ装置１０を備えたノート型パソコン１が製造される。このノート型パソコン１に組み立てられたディスクドライブ装置１０は、例えば、次のようにして使用される。
【００６７】
ディスクドライブ装置１０を使用する場合は、まず、イジェクト釦１９を押圧してディスクトレイ１２を所定量だけ飛び出させる。ディスクトレイ１２が所定量だけ突出すると、ディスク収納部１１の大部分が露出される。そこで、ディスク収納部１１の中央部に配置されているターンテーブル２８に光ディスクＤを装着する。このターンテーブル２８は、セルフチャッキングタイプのものであるため、ターンテーブル２８に装着するだけで光ディスクＤが確実にチャッキングされる。そのため、従来のようにチャッキングプーリー等を設ける必要がない。なお、ターンテーブル２８から光ディスクＤを取り出す場合には、側面壁１６の一部に指掛け凹部２２を設けたことから、この指掛け凹部２２に指先を差し込んで光ディスクＤの外周縁を引っ掛けることにより、装着されている光ディスクＤを容易に取り出すことができる。
【００６８】
次に、ディスクトレイ１２を少し押圧し、図示しないトレイ移動機構を動作させる。これにより、トレイ移動機構の作動を介してディスクトレイ１２がトレイ収納筐体１３に引き込まれる。そして、トレイ収納筐体１３のトレイ収納部６０の所定位置にディスクトレイ１２が位置決めされる。
【００６９】
この際、図１４に示すように、ディスクトレイ１２がトレイ収納部６０に入る前の状態（第２の位置）では、ディスクカバー１４は、トレイ収納筐体１３に略水平状態で保持されている。そのため、ディスクトレイ１４の第１の方向Ｘの前側の左右両側に設けた左右の昇降弾性片６４Ａ，６４Ｂの一部（中央折曲部）が、ディスクトレイ１２の先端部７１の移動軌跡上に突出した状態となっている。
【００７０】
更に、ディスクトレイ１２が第１の方向Ｘに移動し。トレイ収納部６０に入り込むと、ディスクトレイ１２の先端部７１が、ディスクカバー１４の左右の昇降弾性片６４Ａ，６４Ｂの中央折曲部に当接し、これを弾性変形させて上方へ押し上げる。これにより、図１５Ａに示すように、ディスクカバー１４が、一対の枢軸６１を回動中心として、同図において反時計方向（ディスクトレイ１２のディスク収納部１１から離れる方向）に回動され、挿入側が持ち上げられた状態となる。そのため、左右の昇降弾性片６４Ａ，６４Ｂ間に形成された引入れ部７２が、ディスクトレイ１２の上面よりも高く持ち上げられた状態となる。そのため、引入れ部７２がディスクトレイ１２の上面を擦ることがなく、ディスクトレイ１２のスムースな移動を確保することができる。
【００７１】
ディスクトレイ１２が更に奥まで入り込み、所定位置の近傍まで移動すると、ディスクカバー１４に設けた左右の昇降弾性片６４Ａ，６４Ｂが、ディスクトレイ１２に設けた左右の凹部１７，１７の傾斜面に導かれて、当該凹部１７，１７内に入り込む。そして、ディスクトレイ１２が所定位置まで移動すると、左右の昇降弾性片６４Ａ，６４Ｂが左右の凹部１７，１７の所定深さまで入り込む。これにより、図１５Ｂに示すように、ディスクカバー１４の環状接触部６３のうち、第１の方向Ｘ前側の接触部（図８において太い破線で示す接触部）７３において、ディスクトレイ１２のディスク収納部１１の周縁に強く押圧される。このディスクカバー１４の押圧力は、３つの板ばね６５Ａ，６５Ｂ，６５Ｃによって付与される。
【００７２】
その後、光ディスクＤに対する情報信号の記録又は再生を開始する。即ち、スピンドルモータ２９を駆動して光ディスクＤを回転すると共に、光ピックアップ２６を動作させて、光ディスクＤの情報記録面に対する情報信号の書き込み又は読み出しを実行する。このとき、光ディスクＤが所定速度で回転駆動されると、光ディスクＤにより風切り音やその他の騒音が発生するが、その多くはディスクカバー１４を設けたことにより減少させることができる。
【００７３】
ディスクカバー１４を構成する上で、静音効果を出すためには、光ディスクＤが回転することにより発生する風の流れを、トップカバー５２に当てない構成にする必要がある。風の流れがトップカバー５２に当たると、その風の流れによって騒音が発生するからである。そのため、この実施の例では、ディスクトレイ１２に張出し部１２ａを設け、ディスク収納部１１の全周を側面壁１６によって囲うようにした。これにより、ディスク収納部１１からトップカバー５２側に風が流れるのを防止して、騒音の発生を効果的に抑制することができる。
【００７４】
なお、光ディスクＤとトップカバー５２の間にディスクカバー１４を配置するときの高さ関係は、光ディスクＤの面振れを考慮すると、光ディスクＤの上下面に１ｍｍ以上の空間を確保する必要がある。そのため、薄型化の進んだ最近のディスクドライブ装置１０では、ディスクカバー１４を配置できる空間は０．５ｍｍとなる。ところが、厚さ０．５ｍｍ以下のモールド品は成形が困難であり、また、成形できたとしても非常に強度不足なものとなる。従って、現時点においては、ディスクカバー１４は板金で構成する必要がある。
【００７５】
そこで、ディスクカバー１４を板金で構成すると、ディスクトレイ１２との接触部の構造を考慮する必要がある。即ち、従来のディスクドライブ装置のように、板金の切断面（コバ面）でディスクトレイ１２と接触させると、板厚が０．５ｍｍ以下であって、その接触面積が小さいことから、光ディスクＤの回転によって発生する風が、外部にかなりの量透過してしまう。そのため、その風が接触面を透過する際に騒音を発生し、好ましい静音効果が得られないことになる。これに対して、本願発明では、ディスクトレイ１２に接触するディスクカバー１４の環状接触部６３を、板金の切断面より広い折曲面で大きく形成したため、その接触面積を増加させて風が透過し難い構造とすることができた。そのため、隙間を通る風を防止若しくは抑制して、隙間を通る空気の流れによる騒音レベルの上昇を防ぐことができ、光ディスクＤの回転により発生する騒音レベルを効果的に低減することが可能となった。
【００７６】
また、ディスクカバー１４の板厚が０．５ｍｍ以下と極めて薄いために、図１６に示すように、プレス加工の加工精度等により、ソリや浮きが生じるおそれがある。この場合、このソリや浮きにより、ディスクトレイ１２の接触部との間に隙間７５が生じてしまい、そうなると、光ディスクＤの回転による風の音が隙間７５を通過してしまい、若しくは、風自体が隙間７５を透過して、騒音が発生することになる。
【００７７】
これに対して、本願発明では、ディスクカバー１４に板ばね６５Ａ，６５Ｂ，６５Ｃを設け、これらの板ばねのばね力でディスクカバー１４をディスクトレイ１２に付勢する（予圧を付与する）構成とした。そのため、トップカバー５２をトレイシャーシ５１に固定ねじ５３でねじ止めすることにより、３つの板ばね６５Ａ，６５Ｂ，６５Ｃを両側から挟んで予圧を付与することができる。その結果、３つの板ばね６５Ａ，６５Ｂ，６５Ｃのばね力により、ディスクカバー１４の環状接触部６３の全体を全周に渡ってディスクトレイ１２に密着させることができる。
【００７８】
なお、３つの板ばね６５Ａ，６５Ｂ，６５Ｃは、ディスクカバー１４に設けるようにする。その理由は、板ばねをカシメる場合、トップカバー５２側にカシメようとすると、トップカバー５２に穴が開いてしまうことになり、その穴から風が通過して騒音を発生することになる。これに対して、板ばねをトップカバー１４にカシメる場合には、組立時にディスクトレイ１２に密着されるため、そのカシメ用の穴がディスクトレイ１２で塞がれるため、騒音を発生するおそれがない。
【００７９】
なお、この実施の例では、弾性部材として板ばね６４を用いた例について説明したが、これに限定されるものではない。例えば、図１３には、板ばね７７を、トップカバー１４から切り起こして一体に設けた実施の例を示すものである。この板ばね７７を設けることにより、ディスクカバーにはスリットや穴等の隙間が形成されることになるが、組立時には、ディスクカバー１４がディスクトレイ１２に密着されるため、その隙間をディスクトレイ１２で塞いで、騒音の発生を防止することができる。この実施の例よれば、第１の実施の例よりも、板ばね６４の部品点数を削減することができる。なお、板ばねの数は、上記実施の例で述べた３個に限定されるものではなく、４個以上設けても良いことは勿論のこと、２個又は１個のみであってもよい。また、ディスクカバー１４の一面側（ディスクトレイ側）にシール部材を設けてもよい。
【００８０】
以上説明してきたように、本発明のディスク記録及び／又は再生装置によれば、ディスクカバーには、ディスクカバーのディスクトレイ側に突出する昇降部を設けると共に、ディスクトレイには、昇降部が出し入れ可能な凹部を設けた。そして、ディスクトレイがトレイ収納部に収納されたときに昇降部が凹部に挿入されてディスクカバーでトレイ収納部を閉じるようにした。その結果、チャッキングプーリーなどの磁力を用いることなく、ディスクカバーの姿勢を変更させることができ、ディスクトレイの出し入れの際に、当該ディスクカバーとの干渉を避けることができる。これにより、部品点数を削減することができると共に装置全体の薄型化及び小型化を図ることができる。
【００８１】
また、ディスクカバーでディスクトレイのディスク収納部の全体を閉じるように覆う構成とした。そのため、ディスク状記録媒体が回転駆動する際に発生する空気の流れがディスクカバーの外部に漏れることを防止若しくは抑制することができる。これにより、隙間を通る空気の流れによる騒音レベルの上昇を防ぎ、ディスク状記録媒体の回転により発生する騒音レベルの低減を図ることができる。
【００８２】
更に、ディスクカバーの回動中心をトレイ収納部のトレイ移動方向の中央より奥側に配置した。これにより、ディスクカバーを小さい回動動作で、ディスクトレイから離れる方向に姿勢を変更させることができる。
【００８３】
尚、本発明は前述しかつ図面に示した実施の形態に限定されるものではなく、その要旨を逸脱しない範囲内で種々の変形実施が可能である。例えば、前記実施例では、ノート型パソコンに適用した例について説明したが、光ディスクや光磁気ディスクを用いた他の電子機器、例えば、デスクトップ型パーソナルコンピュータ、電子辞書、ＤＶＤプレーヤ、カーナビゲーションその他各種の電子機器に適用できるものである。
【図面の簡単な説明】
【００８４】
【図１】本発明のディスク記録及び／又は再生装置の第１の実施の例として示すノート型パーソナルコンピュータ（ノート型パソコン）の斜視図である。
【図２】本発明のディスクドライブ装置の外観斜視図である。
【図３】本発明のディスクドライブ装置のトップカバーを分解した外観斜視図である。
【図４】本発明のディスクドライブ装置の分解斜視図である。
【図５】図４に示す状態から更にガイドレール及び固定レールを分解した斜視図である。
【図６】本発明のディスクドライブ装置に係るドライブユニットの斜視図である。
【図７】本発明のディスクドライブ装置に係るドライブユニットの平面図である。
【図８】本発明のディスクトレイ及びディスクカバーの要部を示す説明図である。
【図９】本発明のディスクドライブ装置の断面図である。
【図１０】図９の要部を拡大して示すもので、図１０Ａは本発明のディスクドライブ装置の一端部側を拡大して示す断面図、図１０Ｂは本発明のディスクドライブ装置の他端側を拡大して示す断面図である。
【図１１】本発明のディスクカバーとディスクトレイの接触部の説明図である。
【図１２】本発明のディスクカバーに取り付けられた弾性部材の第１の実施の例を示す説明図である。
【図１３】本発明のディスクカバーに取り付けられた弾性部材の第２の実施の例を示す説明図である。
【図１４】本発明のディスクトレイをトレイ収納筐体に装着する前の状態の説明図である。
【図１５】本発明のディスクトレイをトレイ収納筐体に装着している状態を示すもので、図１５Ａはディスクトレイをトレイ収納筐体に装着途中の状態を示す説明図、図１５Ｂはディスクトレイをトレイ収納筐体に装着した状態を示す説明図である。
【図１６】ディスクトレイとディスクカバーの間に生じた隙間の説明図である。
【符号の説明】
【００８５】
１…ノート型パソコン（ディスク記録及び／又は再生装置）、  １０…ディスクドライブ装置、  １１…ディスク収納部、  １２…ディスクトレイ、  １２ａ…張出し部、  １３…トレイ収納筐体、  １４…ディスクカバー、  １４ａ…中央膨出部、  １４ｂ…環状接触部、  １４ｃ…逃げ膨出部  １７…凹部、  ２０…ドライブユニット、  ２２…指掛け凹部、  ５１…トレイシャーシ、  ５２…トップカバー、  ５３…トレイ収納部、  ６１・・・枢軸、  ６４Ａ，６４Ｂ…昇降弾性片（昇降部）、  ６５Ａ，６５Ｂ，６５Ｃ，７７…板ばね（弾性部材）、  Ｄ…光ディスク（ディスク状記録媒体）、  Ｘ…第１の方向（トレイ移動方向）、  Ｙ…第２の方向（交差する方向）
【図１】
2008299943.tif 000003
【図２】
2008299943.tif 000004
【図３】
2008299943.tif 000005
【図４】
2008299943.tif 000006
【図５】
2008299943.tif 000007
【図６】
2008299943.tif 000008
【図７】
2008299943.tif 000009
【図８】
2008299943.tif 000010
【図９】
2008299943.tif 000011
【図１０】
2008299943.tif 000012
【図１１】
2008299943.tif 000013
【図１２】
2008299943.tif 000014
【図１３】
2008299943.tif 000015
【図１４】
2008299943.tif 000016
【図１５】
2008299943.tif 000017
【図１６】
2008299943.tif 000018